(57)【要約】【課題】  ディスプレイ装置における焼き付きの消去またはマルチディスプレイシステムにおける各ディスプレイ装置の輝度の均一化・連続化を自動的に行う。【解決手段】  放電セル構造１３の背面側にＣＣＤ１４を設け、放電セル構造１３から背面側に導かれる光、または放電セル構造１３から背面側に漏れる光をＣＣＤ１４により測定する。そして、ＣＣＤ１４から出力される光量測定結果を数値化し、これに基づいて輝度補正を自動的に行う。【選択図】      図１
2006251516.tif 000002
【特許請求の範囲】
【請求項１】
映像表示領域が形成される前面側に配置され、光透過性を有する前面板と、
背面側に配置され、光透過性を有する背面板と、
前記前面板と前記背面板との間に設けられ、自発的に光を発する自発発光構造と、
前記自発発光構造よりも背面側に設けられ、前記自発発光構造から発せられた光の量を測定する光量測定手段とを備えていることを特徴とするディスプレイ装置。
【請求項２】
前記自発発光構造と前記光量測定手段との間に設けられ、前記自発発光構造から発せられた光を拡散する拡散手段を備えていることを特徴とする請求項１に記載のディスプレイ装置。
【請求項３】
前記自発発光構造を複数備え、前記複数の自発発光構造のそれぞれにつき１個の前記光量測定手段が設けられていることを特徴とする請求項１に記載のディスプレイ装置。
【請求項４】
前記自発発光構造を複数備え、前記複数の自発発光構造は複数のグループに分けられ、前記複数のグループのそれぞれにつき１個の前記光量測定手段が設けられていることを特徴とする請求項１に記載のディスプレイ装置。
【請求項５】
前記自発発光構造を複数備え、前記複数の自発発光構造は、赤色光を発する第１自発発光構造、緑色光を発する第２自発発光構造、および青色光を発する第３自発発光構造を含み、前記第１自発発光構造、前記第２自発発光構造および前記第３自発発光構造からなる１セットにつき１個の前記光量測定手段が設けられていることを特徴とする請求項１に記載のディスプレイ装置。
【請求項６】
前記光量測定手段は前記映像表示領域のほぼ中央に対応する位置に配置されていることを特徴とする請求項１に記載のディスプレイ装置。
【請求項７】
前記光量測定手段は前記映像表示領域の縁部近傍に対応する位置に配置されていることを特徴とする請求項１に記載のディスプレイ装置。
【請求項８】
前記光量測定手段は前記映像表示領域の角部近傍に対応する位置に配置されていることを特徴とする請求項１に記載のディスプレイ装置。
【請求項９】
前記拡散手段は、光透過性を有する材料からなり、液体を流すための通路を内部に有することを特徴とする請求項２に記載のディスプレイ装置。
【請求項１０】
前記光量測定手段から出力される測定結果を数値化する測定結果数値化手段を備えていることを特徴とする請求項１に記載のディスプレイ装置。
【請求項１１】
入力映像信号に基づいて前記自発発光構造の発光を制御することにより映像を前記映像表示領域に表示する発光制御手段と、
前記光量測定手段から出力される測定結果に基づいて前記入力映像信号に含まれる輝度情報を補正する輝度補正手段とを備えていることを特徴とする請求項１に記載のディスプレイ装置。
【請求項１２】
前記自発発光構造は、２個の電極、プラズマ放電空間および蛍光体を備え、前記電極間に電圧を印加し、前記プラズマ放電空間内に放電を生じさせ、この放電により発生した紫外光を蛍光体に照射して可視光に変換することを特徴とする請求項１に記載のディスプレイ装置。
【請求項１３】
前記光量測定手段は半導体フォトディテクタを備えていることを特徴とする請求項１に記載のディスプレイ装置。
【請求項１４】
前記光量測定手段はＣＣＤを備えていることを特徴とする請求項１に記載のディスプレイ装置。
【請求項１５】
前記拡散手段はレンズを備えていることを特徴とする請求項２に記載のディスプレイ装置。
【請求項１６】
複数のディスプレイ装置を備え、前記複数のディスプレイ装置の映像表示領域を配列することによって１個の広域表示領域を形成するマルチディスプレイシステムであって、
前記各ディスプレイ装置は、
前記映像表示領域が形成される前面側に配置され、光透過性を有する前面板と、
背面側に配置され、光透過性を有する背面板と、
前記前面板と前記背面板との間に設けられ、自発的に光を発する発光素子を備えた自発発光構造と、
前記自発発光構造の背面側に設けられ、前記自発発光構造から発せられた光の量を測定する光量測定手段と、
前記光量測定手段から出力される測定結果を数値化し、これを光量測定値として提供する測定結果数値化手段と、
前記測定結果数値化手段により提供された光量測定値を他のディスプレイ装置に出力する出力手段と、
他のディスプレイ装置から出力された光量測定値を受け取る受取手段と、
入力映像信号に基づいて前記自発発光構造の発光を制御することにより映像を前記映像表示領域に表示する発光制御手段と、
前記測定結果数値化手段により提供された当該ディスプレイ装置の光量測定値と前記受取手段により受け取られた前記他のディスプレイ装置の光量測定値とに基づいて、前記入力映像信号に含まれる輝度情報を補正する輝度補正手段とを備えていることを特徴とするマルチディスプレイシステム。
【発明の詳細な説明】
【技術分野】
【０００１】
本発明は、例えばプラズマディスプレイ装置のように自発発光構造を有するディスプレイ装置、およびこのようなディスプレイ装置を複数備え、これらの映像表示領域を複数配列して１個の広域表示領域を形成するマルチディスプレイシステムに関する。
【背景技術】
【０００２】
プラズマディスプレイ装置は、現在、テレビ用の表示手段として広く普及している。プラズマディスプレイ装置は、自発的に発光する自発発光構造を有する。すなわち、プラズマディスプレイ装置は、２個の電極、プラズマ放電空間および蛍光体をセルごとに備えており、電極間に電圧を印加し、プラズマ放電空間内に放電を生じさせ、この放電により発生した紫外光を蛍光体に照射して可視光に変換する。このような原理により、プラズマディスプレイは自発的に発光し、映像を表示する。
【０００３】
他方、マルチディスプレイシステムは、街頭、駅、競技場などで情報掲示を行うための情報掲示装置の表示手段として普及している。マルチディスプレイシステムは、例えば、複数のプラズマディスプレイ装置を備え、これらの映像表示領域を、同一平面上に配列し、１個の広域の表示領域を形成する。例えば、９個のプラズマディスプレイ装置を３×３のマトリクス状に配置し、１個の広域表示領域を形成する。マルチディスプレイシステムによれば、広域表示領域に１個の映像または画像を表示することにより、映像または画像を大きく拡大して表示することができる。
【発明の開示】
【発明が解決しようとする課題】
【０００４】
ところで、プラズマディスプレイ装置には、画像の焼き付きが起こるという問題がある。すなわち、プラズマディスプレイ装置の蛍光体は発光時間に従って劣化する。すなわち発光時間が長ければ長いほど蛍光体の劣化が進む。蛍光体が劣化すると、蛍光体から発せられる光によって形成される画像の輝度が低下する。このため、例えば１個の静止画を長時間プラズマディスプレイ装置に表示し続けると、この静止画の表示のために発光している蛍光体だけについて劣化が進む。この結果、静止画の表示のために発光している部分だけ輝度が低下する。これにより、長時間表示していた静止画とは別の映像または画像をプラズマディスプレイ装置に表示したとき、長時間表示していた静止画の跡が残るといった現象、すなわち画像が焼き付くといった現象が起こる。このような焼き付きは、プラズマディスプレイ装置と同様に自発発光構造を有するＥＬ（electroluminescence）ディスプレイ装置でも生じ得る。
【０００５】
他方、マルチディスプレイシステムの広域表示領域に表示される画像または映像の品質を高めるためには、マルチディスプレイシステムを構成する複数のプラズマディスプレイ装置相互間において、表示画像または表示映像の輝度を均一化することが望ましい。または、複数のプラズマディスプレイ装置相互間において、表示画像または表示映像の輝度の変化が連続的になるようにすることが望ましい。例えば、マルチディスプレイシステムを構成する複数のプラズマディスプレイ装置のうちの１個を新品のプラズマディスプレイ装置に交換すると、従来から備えられたプラズマディスプレイ装置と新品のプラズマディスプレイ装置との間において輝度が不均一かつ不連続になる。特に、各プラズマディスプレイ装置の目地（外枠部分）を細くし、または目地をなくすことにより、互いに隣接するプラズマディスプレイ装置の映像表示領域の連続性を高めたマルチディスプレイシステムにおいては、互いに隣接するプラズマディスプレイ装置間の輝度の不均一さおよび不連続さが目立つ。このような場合、従来のマルチディスプレイシステムでは、プラズマディスプレイ装置ごとに輝度調整または色調整を行い、プラズマディスプレイ装置間において輝度の均一化または連続化を図っていた。ところが、プラズマディスプレイ装置ごとに輝度調整または色調整を行う作業は、容易ではなく、そのため熟練を要するという問題がある。また、たとえ熟練を要した作業員が調整を行うとしても、調整に時間がかかるという問題がある。
【０００６】
本発明は上記に例示したような問題点に鑑みなされたものであり、本発明の第１の課題は、画像の焼き付きによる跡を消去することができるディスプレイ装置およびマルチディスプレイシステムを提供することにある。
【０００７】
第２の課題は、複数のディスプレイ装置相互間において輝度の均一化または連続化を容易に図ることができるディスプレイ装置およびマルチディスプレイシステムを提供することにある。
【０００８】
本発明の第３の課題は、輝度の調整を容易に、高精度にまたは短時間で行うことができるディスプレイ装置およびマルチディスプレイシステムを提供することにある。
【０００９】
本発明の第４の課題は、輝度の調整を自動的に行うことができるディスプレイ装置およびマルチディスプレイシステムを提供することにある。
【課題を解決するための手段】
【００１０】
上記課題を解決するために請求項１に記載のディスプレイ装置は、映像表示領域が形成される前面側に配置され、光透過性を有する前面板と、背面側に配置され、光透過性を有する背面板と、前記前面板と前記背面板との間に設けられ、自発的に光を発する自発発光構造と、前記自発発光構造よりも背面側に設けられ、前記自発発光構造から発せられた光の量を測定する光量測定手段とを備えている。
【００１１】
上記課題を解決するために請求項１６に記載のマルチディスプレイシステムは、複数のディスプレイ装置を備え、前記複数のディスプレイ装置の映像表示領域を配列することによって１個の広域表示領域を形成するマルチディスプレイシステムであって、前記各ディスプレイ装置は、前記映像表示領域が形成される前面側に配置され、光透過性を有する前面板と、背面側に配置され、光透過性を有する背面板と、前記前面板と前記背面板との間に設けられ、自発的に光を発する発光素子を備えた自発発光構造と、前記自発発光構造の背面側に設けられ、前記自発発光構造から発せられた光の量を測定する光量測定手段と、前記光量測定手段から出力される測定結果を数値化し、これを光量測定値として提供する測定結果数値化手段と、前記測定結果数値化手段により提供された光量測定値を他のディスプレイ装置に出力する出力手段と、他のディスプレイ装置から出力された光量測定値を受け取る受取手段と、入力映像信号に基づいて前記自発発光構造の発光を制御することにより映像を前記映像表示領域に表示する発光制御手段と、前記測定結果数値化手段により提供された当該ディスプレイ装置の光量測定値と前記受取手段により受け取られた前記他のディスプレイ装置の光量測定値とに基づいて、前記入力映像信号に含まれる輝度情報を補正する輝度補正手段とを備えている。
【発明を実施するための最良の形態】
【００１２】
以下、本発明の実施の形態について図面を参照しながら説明する。
【００１３】
（ディスプレイ装置の第１実施形態）
以下の説明では、本発明のディスプレイ装置の第１実施形態としてＡＣ型の面放電型プラズマディスプレイ装置を例にあげる。しかし、本発明はＤＣ型のプラズマディスプレイ装置にも適用することができる。また、本発明は対向型プラズマディスプレイ装置にも適用することができる。さらに、本発明は、自発発光構造を有する他のディスプレイ装置に適用することもできる。例えば、本発明は、ＥＬディスプレイ装置、ＦＥＤ（Field Emission Display）装置、ＳＥＤ（Surface-conduction Electron-emitter Display）装置にも適用することができる。
【００１４】
図１は本発明のディスプレイ装置の第１実施形態であるプラズマディスプレイ装置の一部を示す断面図である。図１に示すように、プラズマディスプレイ装置１は、前面板１１、背面板１２、放電セル構造１３、１３、…、ＣＣＤ（Change Couple Devices：電荷結合素子）１４および光拡散器１５を備えている。
【００１５】
前面板１１は光透過性を有する。前面板１１はプラズマディスプレイ装置１の前面側、すなわち映像表示領域が形成される側に配置されている。前面板１１は例えばガラス基板である。前面板１１の前面側に位置する表面はパネル面１１Ａである。
【００１６】
背面板１２は光透過性を有する。背面板１２はプラズマディスプレイ装置１の背面側に配置されている。背面板１２は例えばガラス基板である。
【００１７】
放電セル構造１３は、前面板１１と背面板１２との間に設けられている。放電セル構造１３は、２個の表示電極２１、２２、データ電極２３、プラズマ放電空間２４および蛍光体２５を備えている。表示電極２１、２２はそれぞれ、例えばＩＴＯ（Indium Tin Oxide：インジウムスズ酸化物）から形成された透明な電極である。表示電極２１、２２は、前面板の背面側に位置する表面上に設けられ、透明誘電体層２６および保護層２７に覆われている。データ電極２３も、例えばＩＴＯから形成された透明な電極であることが望ましい。データ電極２３は、背面板１２の前面側に位置する表面上に設けられ、透明誘電体層２８により覆われている。プラズマ放電空間２４は、前面板１１、背面板１２、前面板１１と背面板１２との間に形成された隔壁２９、２９、…により規定されている。蛍光体２５は、プラズマ放電空間２４内に面する透明誘電体層２８の表面、およびプラズマ放電空間２４内に面する隔壁２９の表面に塗布されている。放電セル構造１３において、表示電極２１、２２とデータ電極２３との間、または表示電極２１と表示電極２２との間に電圧を印加し、プラズマ放電空間２４内に放電を生じさせると、この放電により発生した紫外光が蛍光体に照射され、これにより蛍光体が可視光を発する。このようにして放電セル構造１３は、自発的に光を発する。
【００１８】
なお、放電セル構造１３は、自発的に光を発する自発発光構造の具体例である。自発発光構造の構成は、図１に示した構成に限られない。自発発光構造は、２個の電極、プラズマ放電空間および蛍光体を備え、電極間に電圧を印加し、プラズマ放電空間内に放電を生じさせ、この放電により発生した紫外光を蛍光体に照射して可視光に変換するものであれば、他の構成を採用することもできる。さらに、自発発光構造は、プラズマの放電原理を用いたものに限られない。自発発光構造は、例えばＥＬディスプレイ装置においても用いられる自発発光構造、ＦＥＤ装置またはＳＥＤ装置において用いられる自発発光構造でもよい。
【００１９】
放電セル構造１３は複数設けられており、パネル面１１Ａに平行な面内において例えばマトリクス状に配列されている。放電セル構造１３には、赤色光を発する放電セル構造１３、緑色光を発する放電セル構造１３、青色光を発する放電セル構造１３がある。これらの放電セル構造１３は、例えば赤、緑、青の順序で配列されている。図１においては、赤色光を発する放電セル構造１３、緑色光を発する放電セル構造１３および青色光を発する放電セル構造１３が、図面の上側から下側にかけて配列されている。なお、放電セル構造１３の発する色は蛍光体によって決まる。
【００２０】
ＣＣＤ１４は、放電セル構造１３から発せられた光の量を測定する。ＣＣＤ１４は、プラズマディスプレイ装置１の背面側に設けられたリア壁部３０の内壁面上に取り付けられている。なお、ＣＣＤ１４は光量測定手段の具体例である。光量測定手段はＣＣＤ１４に限らず、フォトダイオードまたはフォトトランジスタなどの半導体フォトディテクタ（例えばＣＭＯＳ（Complementary Metal-Oxide-Semiconductor）デバイス）でもよい。また、ＣＣＤ１４の取付位置は、放電セル構造１３（自発発光構造）よりも背面側に位置し、放電セル構造から発する光の量を測定することが可能な場所であればどこでもよい。
【００２１】
また、図１中では、赤色光を発する放電セル構造１３、緑色光を発する放電セル構造１３および青色光を発する放電セル構造からなる１セットにつき１個のＣＣＤ１４が設けられている。図２は、図１中のプラズマディスプレイ装置１を、その背面側から、リア壁部３０を透視して見た図である。図２により、パネル面１１Ａと平行な方向における放電セル構造１３とＣＣＤ１４との配置関係がわかる。このように、赤色光、緑色光および青色光の３個の放電セル構造からなる１セットにつき１個のＣＣＤ１４を設けることにより、赤色光、緑色光および青色光を合成して白色光を生成し、この白色光の光量をＣＣＤ１４で測定することが可能になる。これにより、光量の測定を容易化することができ、また、安価なＣＣＤ素子を用いることが可能になる。
【００２２】
なお、パネル面と平行な方向における放電セル構造（自発発光構造）とＣＣＤ（光量測定手段）と配置関係は、これに限られない。例えば、図３に示すように、複数の放電セル構造１３のそれぞれにつき１個のＣＣＤ４１、４１、…を設けてもよい。これにより、放電セル構造１３から発せられる光の光量を色ごとに測定することができる。したがって、色ごとの光量測定結果を用いて高精度な輝度補正を実現することが可能になる。
【００２３】
また、複数の放電セル構造１３を複数のグループに分け、複数のグループのそれぞれにつき１個のＣＣＤを設けてもよい。例えば、図４に示すように、プラズマディスプレイ装置１に設けられたすべての放電セル構造１３を、２４個の放電セル構造１３からなる複数のグループに分け、これら複数のグループのそれぞれにつき１個のＣＣＤ４２を設けてもよい。また、プラズマディスプレイ装置１に設けられたすべての放電セル構造１３を、行方向に２５６個および列方向に２５６個配列された６５５３６個の放電セル構造１３からなる複数のグループに分け、これら複数のグループのそれぞれにつき１個のＣＣＤを設けてもよい。
【００２４】
また、ＣＣＤ１４は、すべての放電セル構造１３に対応するように設けてもよい。例えば、図２に示すように、３個の放電セル１３からなる１セットにつき１個のＣＣＤ１４を設ける場合には、プラズマディスプレイ装置１のすべての放電セル構造１３を、赤、緑、青の３個の放電セル構造からなる複数のセットに分け、これらすべてのセットのそれぞれにつきＣＣＤ１４を設けてもよい。しかし、ＣＣＤ１４は、すべての放電セル構造１３に対応するように設けなくてもよい。例えば、図５に示すように、プラズマディスプレイ装置１の映像表示領域Ｒの中央に対応する位置Ｐ１、映像表示領域Ｒの縁部近傍に対応する位置Ｐ２、Ｐ２、…、および映像表示領域Ｒの角部近傍に対応する位置Ｐ３、Ｐ３、…にＣＣＤ１４を設けるだけでもよい。また、位置Ｐ１および位置Ｐ２のみにＣＣＤ１４を設けるだけでもよい。あるいは、位置Ｐ１および位置Ｐ３のみにＣＣＤ１４を設けるだけでもよい。
【００２５】
図１に戻り、光拡散器１５は、放電セル構造１３から発せられた光を拡散する。光拡散器１５は、放電セル構造１３とＣＣＤ１４との間に設けられている。具体的には、光拡散器１５は例えば背面板１２の背面側に位置する表面上に取り付けられている。光拡散器１５には例えばマイクロレンズなどのレンズ機構を設けることが望ましい。光拡散器１５は、例えば３個の放電セル構造１３からそれぞれ発せられる赤色光、緑色光および青色光をそれぞれ拡散し、３色の光が合成して形成された白色光をＣＣＤ１４に集光させる。なお、光拡散器１５は拡散手段の具体例である。また、図３に示すように、１個の放電セル構造１３につき１個のＣＣＤ１４を配置し、色ごとに光量を測定する構成を採用した場合には、光拡散器１５（拡散手段）を排除してもよい。
【００２６】
図６はプラズマディスプレイ装置１における光量測定動作を示している。なお、図６は、図１中の３個の放電セル構造１３のうちの１個とその周辺部分を拡大して示している。説明の便宜上、放電セル構造１３における電極、誘電体層、保護層などは図示を省略している。図６に示すように、放電セル構造１３において、プラズマ放電空間２４内に放電を生じさせると、この放電により発生した紫外光は、蛍光体２５によって可視光に変換される。この可視光の大部分は、図６中の太い矢印Ａで示すように、プラズマディスプレイ装置１の前面側に向けて出力される。ところが、可視光の一部は、図６中の細い矢印Ｂで示すように、プラズマディスプレイ装置１の背面側に向けて出力される。以下、プラズマディスプレイ装置１の背面側に向けて出力される可視光を「被測定光」という。被測定光は、矢印Ｂで示すように、光透過性を有する背面板１２を通過する。続いて、被測定光は、例えば矢印Ｃに示すように光拡散器１５において拡散する。続いて、拡散した被測定光は、当該放電セル構造１３に隣接する他の放電セル構造から発せられた被測定光と合成され、光拡散器１５のレンズ機構によりＣＣＤ１４に集光される。続いて、ＣＣＤ１４はこの被測定光を測定する。すなわち、ＣＣＤ１４は被測定光に基づいて光電変換を行い、被測定光の光量に対応した電気信号を生成し、これを出力する。
【００２７】
なお、プラズマディスプレイ装置１は、図１に示すように、誘電体層２８、データ電極２３、背面板１２を透明の部材で形成することにより、プラズマ放電空間２４内からＣＣＤ１４までの間に被測定光が通過し得る通路を形成している。これにより、十分な被測定光をＣＣＤ１４に入力することができる。しかし、ＣＣＤ１４により光量の測定が可能な程度の光が得られるのであれば、被測定光はプラズマ放電空間２４内からの漏れ光でもよい。すなわち、プラズマ放電空間２４内からの漏れ光によって光量測定が可能であれば、被測定光を採光するために特別に光通路を形成する必要はない。
【００２８】
以上説明したとおり、プラズマディスプレイ装置１は、放電セル構造１３から発せられた光の量を測定するＣＣＤ２４を放電セル構造１３の背面側に備えている。これにより、放電セル構造１３から発せられた光の量を測定でき、この測定結果を数値化することが可能となる。そして、測定結果あるいは測定結果を示す数値を用いて、プラズマディスプレイ装置１の輝度を容易に、高精度にかつ短時間に補正することが可能となる。したがって、プラズマディスプレイ装置１の映像表示領域に画像の焼き付きが生じた場合には、輝度の補正により画像の焼き付きを容易に消去することができる。他方、複数のプラズマディスプレイ装置１を備えたマルチディスプレイシステムを構成した場合には、ＣＣＤ２４による光量の測定結果あるいは測定結果を示す数値を用いて、複数のプラズマディスプレイ装置相互間で輝度の均一化または連続化を容易に、高精度にかつ短時間で図ることが可能となる。
【００２９】
（ディスプレイ装置の第２実施形態）
図７は本発明のディスプレイ装置の第２実施形態であるプラズマディスプレイ装置の一部を示す断面図である。なお、図７に示すプラズマディスプレイ装置２において、図１に示すプラズマディスプレイ装置１と同一の構成要素には同一の符号を付し、その説明を省略する。図７に示すように、プラズマディスプレイ装置２において背面板１２とＣＣＤ１４との間には、放電セル構造１３から発せられた光を拡散する光拡散器４５が設けられている。光拡散器４５は、光透過性を有する材料によって形成されている。さらに、光拡散器４５を形成するための材料は熱伝導性に優れていることが望ましい。
【００３０】
また、光拡散器４５は、液体を流すための通路４６を内部に有している。通路４６内に流す液体は、乳白色を有する液体であることが望ましい。通路４６内に乳白色の液体を流すことにより、光透過性が下がり、これにより光拡散器４５と通過する光が拡散するようになる。すなわち、放電セル構造１３から発せられた被測定光が光拡散器４５を通ってＣＣＤ１４に入力されるとき、通路４６を流れる乳白色の液体によって拡散される。
【００３１】
さらに、通路４６を流れる液体は、放電セル構造１３などから発する熱を吸収する機能を有している。すなわち、通路４６を流れる液体は冷却液として機能する。例えば、プラズマディスプレイ装置３にポンプおよびラジエータを設け、ポンプによりプラズマディスプレイ装置３の背面側において液体を循環させ、ラジエータにより液体を放熱させてもよい。
【００３２】
以上説明したとおり、プラズマディスプレイ装置２によれば、プラズマディスプレイ装置１と同様の効果に加え、プラズマディスプレイ装置２を冷却することができる。
【００３３】
（ディスプレイ装置の輝度補正）
図８は、プラズマディスプレイ装置１に設けられた駆動制御ユニットを示している。図８中の駆動制御ユニット５１はプラズマディスプレイ装置１の駆動を制御する。すなわち、駆動制御ユニット５１は、入力映像信号に基づいて放電セル構造１３ごとの放電および発光を制御し、これにより入力映像信号に対応する映像をプラズマディスプレイ装置１の映像表示領域に表示する。プラズマディスプレイ装置１において前面板１１、背面板１２、放電セル構造１３、ＣＣＤ１４および光拡散器１５を備えた部分をパネル部５２と呼ぶとすれば、駆動制御ユニット５１はパネル部５２の外縁部または背面部に取り付けられている。
【００３４】
図８に示すように、駆動制御ユニット５１は、数値化処理部５３、駆動制御部５４、パラメータ記憶部５５、テスト画像記憶部５６および電極ドライバ５７を備えている。
【００３５】
数値化処理部５３は、パネル部５２に設けられた複数のＣＣＤ１４から出力される光量測定結果を数値化する。すなわち、パネル部５２には、図１および図２に示すように、赤色光を発する放電セル構造１３、緑色光を発する放電セル構造１３および青色光を発する放電セル構造１３の３個の放電セル構造１３からなる１セットごとに１個のＣＣＤ１４が設けられている。各ＣＣＤ１４は信号線６０を介して数値化処理部５３に接続されている。各ＣＣＤ１４は被測定光の光量に対応した電気信号を出力する。各ＣＣＤ１４から出力された電気信号は信号線６０を介して数値化処理部５３に供給される。数値化処理部５３は、各ＣＣＤ１４から出力された電気信号を受け取り、これらをそれぞれ数値化する。例えば、各ＣＣＤ１４から出力される電気信号の電圧が、各ＣＣＤ１４により測定された光量に対応している場合には、数値化処理部５３は、各ＣＣＤ１４から出力される電気信号の電圧に対応する数値（以下、これを「光量測定値」という）を生成する。また、数値化処理部５３は、ＣＣＤ１４の特性、光拡散器１５の特性、発光色（ＲＧＢ）ごとの発光特性および人間の視覚特性などを考慮した演算を行うことによって光量測定値を生成する。光量測定値は例えば２値のデジタル値である。上述したように、赤色光、緑色光および青色光をそれぞれ発する３個の放電セル構造１３からなる１セットごとに１個のＣＣＤ１４が設けられているので、光量測定値も、赤色光、緑色光および青色光をそれぞれ発する３個の放電セル構造１３からなる１セットごとに生成される。数値化処理部５３は、例えば演算処理回路および半導体メモリなどにより実現することができる。なお、数値化処理部５３は測定結果数値化手段の具体例である。
【００３６】
駆動制御部５４は、入力映像信号に対応する映像をプラズマディスプレイ装置１の映像表示領域に表示するために電極ドライバ５７を制御する。すなわち、駆動制御部５４は、電極ドライバ５７を制御するための制御信号を入力映像信号に基づいて生成し、これを電極ドライバ５７に出力する。また、補正値設定処理において、テスト画像記憶部５６からテスト画像信号が駆動制御部５４に入力されたときには、駆動制御部５４は、テスト画像信号に対応するテスト画像を映像表示領域に表示するために、電極ドライバ５７を制御するための制御信号をテスト画像信号に基づいて生成し、これを電極ドライバ５７に出力する。駆動制御部５４は、例えば演算処理回路および半導体メモリなどにより実現することができる。
【００３７】
駆動制御部５４は補正値設定部５８および補正部５９を備えている。補正値設定部５８および補正部５９は、各ＣＣＤ１４から出力され、数値化処理部５３によって数値化された光量測定結果（光量測定値）に基づいて入力映像信号に含まれる輝度情報を補正する機能を備えている。
【００３８】
補正値設定部５８は、補正値設定処理において、入力映像信号に含まれる輝度情報を補正するための補正値を設定する。補正値設定処理は、入力映像信号に含まれる輝度情報を補正するための補正値を設定する処理である。すなわち、発光時間が長くなると蛍光体２５の劣化などにより放電セル構造１３から発する光の量が低下する。そして、発光時間は通常、放電セル構造１３ごとにまちまちなので、各放電セル構造１３に対して同じ輝度情報を有する画像信号を与えているにもかかわらず、画像の輝度が放電セル構造１３ごと不均一になる。この輝度の不均一さを消去するために、入力映像信号に含まれる輝度情報を補正する。例えば、入力映像信号の輝度情報のうち、輝度が低い放電セル構造１３に対応する部分については、輝度を高めるように補正をする。補正値設定部５８は、このような補正をするための補正値を設定する。補正値設定処理において、補正値設定手段５８は、光量測定値に基づいて補正値を設定する。光量測定値は、赤色光、緑色光および青色光をそれぞれ発する３個の放電セル構造１３からなる１セットごとに生成されるので、補正値も、赤色光、緑色光および青色光をそれぞれ発する３個の放電セル構造１３からなる１セットごとに生成される。補正値設定処理は、例えば、プラズマディスプレイ装置１の電源投入直後、ユーザが輝度補正の実行を指示したとき、またはプラズマディスプレイ装置１の起動中において一定の周期ごとに行われる。補正値設定処理には、テスト画像記憶部５６に記憶されたテスト画像が用いられる。補正値設定処理の詳細な内容については後述する。
【００３９】
補正部５９は、補正値設定処理において設定された補正値を用いて、入力映像信号に含まれる輝度情報を補正する。補正は、赤色光、緑色光および青色光をそれぞれ発する３個の放電セル構造１３からなる１セットごとに行われる。
【００４０】
パラメータ記憶部５５は、補正値設定処理により設定された補正値を記憶する。補正値設定部５８は、生成した補正値をパラメータ記憶部５５に記憶し、補正部５９はパラメータ記憶部５５に記憶された補正値を読み出して補正を行う。パラメータ記憶部５５は、例えば半導体メモリなどの記憶素子またはハードディスクなどの記憶媒体により実現することができる。なお、パラメータ記憶部５５、補正値設定部５８および補正部５９は輝度補正手段の具体例である。
【００４１】
テスト画像記憶部５６はテスト画像データを記憶する。テスト画像記憶部５６は、補正設定処理において、テスト画像データをテスト画像信号として駆動制御部５４に出力する。テスト画像記憶部５６は、例えば半導体メモリなどの記憶素子またはハードディスクなどの記憶媒体により実現することができる。
【００４２】
電極ドライバ５７は、駆動制御部５４から出力された制御信号に基づいて、各放電セル構造１３の放電および発光を制御するための駆動パルス信号を生成する。生成された駆動パルス信号は、放電セル構造１３の電極２１、２２、２３に供給される。電極ドライバ５７は、例えば発信器、信号処理回路、記憶素子、その他の電子回路および電気回路により実現することができる。なお、図１に示すように、放電セル構造１３には、合計３個の電極２１、２２、２３が設けられている。この場合、電極ドライバ５７は、これら３個の電極２１、２２、２３にそれぞれ対応したドライバ回路を備えており、各ドライバ回路は、パネル部の外枠部に取り付けられている。また、各ドライバ回路の具体的な構成や取付については、図８において省略している。なお、駆動制御部５４および電極ドライバ５７は発光制御手段の具体例である。
【００４３】
図９は補正値設定処理を示している。図９に示すように、ユーザがプラズマディスプレイ装置１の電源を入れる（ステップＳ１）。まず、テスト画像信号がテスト画像記憶部５６から出力される（ステップＳ２）。続いて、補正設定部５８は、テスト画像信号を受け取る。続いて、補正値設定部５８は、パラメータ記憶部５５から補正値を読み出す。電源が入れられた直後においては、パラメータ記憶部５５には、過去に行われた補正値設定処理により設定された補正値が記憶されており、補正値設定部５８はこれらの補正値を読み出す。続いて、補正値設定部５８は、読み出した補正値を用いて、テスト画像信号に含まれる輝度情報を補正する。続いて、駆動制御部５４は、輝度情報が補正されたテスト画像信号に基づいて、電極ドライバ５７を制御するための制御信号を生成し、これを電極ドライバ５７に出力する。続いて、電極ドライバ５７は、この制御信号に基づいて、各放電セル構造１３の放電および発光を制御するための駆動パルス信号を生成し、これを放電セル構造１３の電極２１、２２、２３に供給する。これにより、テスト画像に対応するように、各放電セル構造１３において放電および発光が生じ、この結果、プラズマディスプレイ装置１の映像表示領域にテスト画像が表示される。続いて、各ＣＣＤ１４は、テスト画像表示中において、放電セル構造１３の各セット（赤色光、緑色光および青色光からなる３個の放電セル構造１３）から発せられる被測定光の光量を測定する（ステップＳ３）。続いて、各ＣＣＤ１４は光量測定結果を数値化処理部５３に出力する。数値化処理部５３は、各ＣＣＤ１４から出力された光量測定結果を数値化し、光量測定値を生成する（ステップＳ４）。続いて、補正値設定部５８は、光量測定値に基づいて補正値を設定する（ステップＳ５）。例えば、テスト画像に対応した光量の基準値を予め記憶しておき、この基準値と測定光量値とを比較し、両者の差がゼロとなるような値を補正値として設定してもよい。あるいは、各ＣＣＤ１４に対応する光量測定値の平均値を算出し、この平均値と個々の測定光量値とを比較し、両者の差がゼロとなるような値を補正値としてもよい。このようにして設定された補正値はパラメータ記憶部５５に記憶される（ステップＳ６）。以上より、補正設定処理は終了する。
【００４４】
その後、プラズマディスプレイ装置１によって映像を表示するときには、補正部５９が、パラメータ記憶部５５に記憶された補正値を用いて、入力映像信号に含まれる輝度情報を補正する。これにより、蛍光体２５の劣化などによる画像の輝度の不均一さが消去される。
【００４５】
以上説明したとおり、駆動制御ユニット５１は、各ＣＣＤ１４から出力された光量測定結果を数値化し、これに基づいて輝度の補正値を設定し、この補正値を用いて入力映像信号を補正する。これにより、蛍光体２５の劣化などによる輝度の不均一を容易に、高精度にかつ短時間で消去することができ、例えば映像表示領域における画像の焼き付きを容易に、高精度にかつ短時間で消し去ることができる。また、このような輝度の不均一さの消去を自動的に行うことができる。
【００４６】
（マルチディスプレイシステム）
図１０は本発明のマルチディスプレイシステムの実施形態を示している。図１０に示すように、マルチディスプレイシステム７０は、９個のプラズマディスプレイ装置７１Ａ、７１Ｂ、…、７１Ｊを備え、これらプラズマディスプレイ装置７１Ａないし７１Ｊの映像表示領域をマトリクス状に配列することによって１個の広域表示領域を形成している。マルチディスプレイシステム７０は、この１個の広域表示領域に１個の映像または画像を表示することができる。すなわち、１個の映像または画像を、上部左側、上部中央、上部右側、中間部左側、中間部中央、中間部右側、下部左側、下部中央、下部右側の９個の部分に分割し、それぞれ分割された映像部分を９個のプラズマディスプレイ装置７１Ａないし７１Ｊに割り当て、それぞれの映像部分を相互に同期させて表示することができる。さらに、マルチディスプレイシステム７０は、プラズマディスプレイ装置７１Ａないし７１Ｊ相互間における輝度の均一化または連続化を自動的に図る機能を備えている。なお、本発明のマルチディスプレイシステムにおけるディスプレイ装置の個数や配列は限定されない。また、本発明のマルチディスプレイシステムを構成するディスプレイ装置は、プラズマディスプレイ装置に限られず、例えばＥＬディスプレイ装置、ＦＥＤ装置またはＳＥＤ装置でもよい。
【００４７】
マルチディスプレイシステム７０は、図１０に示すように、９個のプラズマディスプレイ装置７１Ａないし７１Ｊに加え、全体制御部７２を備えている。各プラズマディスプレイ装置７１Ａないし７１Ｊおよび全体制御部７２は、バス７３を介して相互に接続されている。
【００４８】
図１１は、プラズマディスプレイ装置７１Ａを示している。図１１に示すように、プラズマディスプレイ装置７１Ａは、パネル部７４および駆動制御ユニット７５を備えている。
【００４９】
パネル部７４は、図１に示すプラズマディスプレイ装置１のパネル部とほぼ同様に、前面板、背面板、放電セル構造を備えている（いずれも図示せず）。
【００５０】
さらに、パネル部７４はＣＣＤ８１を備えている。ＣＣＤ８１は、図１に示すプラズマディスプレイ装置１のＣＣＤ１４とほぼ同様に、放電セル構造よりも背面側に設けられ、放電セル構造から発せられた光の量を測定する。しかし、パネル面と平行な方向におけるＣＣＤ８１と放電セル構造との配置関係については、図１に示すプラズマディスプレイ装置１とは異なる。すなわち、パネル部７４においては、例えば２５６個×２５６個の合計６５５３６個の放電セル構造に対して１個のＣＣＤ８１が設けられている。また、パネル部７４には、図１１に示すように、９個のＣＣＤ８１が設けられており、これらのＣＣＤ８１は、パネル部７４の映像表示領域の中央、縁部近傍、角部近傍のそれぞれに対応する位置に配置されている。すなわち、ＣＣＤ８１は、中央、上側縁部、下側縁部、左側縁部、右側縁部、左上角部、右上角部、左下角部および右下角部にそれぞれ設けられている。なお、パネル面と平行な方向におけるＣＣＤと放電セル構造との配置関係は限定されない。また、ＣＣＤの個数も限定されない。また、パネル面と平行な方向におけるＣＣＤの配置（中央、縁部近傍、角部近傍など）も限定されない。しかし、マルチディスプレイシステムにおいて相互に隣接する２個のディスプレイ装置の映像表示領域の縁部または角部（すなわち相互に隣接する２個のディスプレイ装置の境界線近傍）の輝度の均一化または連続化を図るためには、映像表示領域の縁部近傍または角部近傍に対応する位置にＣＣＤを設けることが好ましい。また、各ディスプレイ装置において映像表示領域の縁部または角部と中央との間において輝度の均一化または連続化を図るためには、映像表示領域の中央に対応する位置にＣＣＤを設けることが好ましい。また、各ディスプレイ装置における輝度の均一化を高精度に補正するためには、各ディスプレイ装置の映像表示領域の全面に対応するように隙間なくＣＣＤを設けてもよい。しかし、マルチディスプレイシステムにおけるディスプレイ装置相互間の輝度の均一化または連続化を図るためには、各ディスプレイ装置の映像表示領域の全面に対応するようにＣＣＤを設ける必要はない。輝度の不均一または不連続が目立つ部分、すなわち、各ディスプレイ装置の映像表示領域の縁部近傍または角部近傍（すなわち境界線近傍）に対応する位置にＣＣＤを設け、さらに各ディスプレイ装置の映像表示領域の中央近傍に対応する位置にＣＣＤを設ければ足りる。
【００５１】
また、パネル部７４は、光拡散器を備えている（図示せず）。光拡散器は、図１に示すプラズマディスプレイ装置１とほぼ同様に、放電セル構造とＣＣＤとの間に設けられ、放電セル構造から発せられた光を拡散する。しかし、光拡散器の個数およびパネル面と平行な方向における光拡散器の配置は、図１に示すプラズマディスプレイ装置１と異なる。例えば、パネル部７４の光拡散器の個数はＣＣＤ８１の個数と同じであり、光拡散器はＣＣＤ８１に対応するようにそれぞれ配置されている。
【００５２】
駆動制御ユニット７５はプラズマディスプレイ装置７１Ａの駆動を制御する。すなわち、駆動制御ユニット７５は、入力映像信号に基づいて放電セル構造ごとの放電および発光を制御し、これにより入力映像信号に対応する映像をパネル部７４の映像表示領域に表示する。駆動制御ユニット７５はパネル部７４の外縁部または背面部に取り付けられている。図１１に示すように、駆動制御ユニット７５は、数値化処理部８２、マイクロコンピュータ（マイコン）８３、通電時間測定部８４、パラメータ記憶部８５および電極ドライバ８６を備えている。
【００５３】
数値化処理部８２は、パネル部７４に設けられた９個のＣＣＤ８１から出力される光量測定結果をそれぞれ数値化し、ＣＣＤ８１ごとに光量測定値を生成する。数値化処理部８２の構成などは、図８に示す数値化処理部５３とほぼ同じである。
【００５４】
マイクロコンピュータ８３は、駆動制御機能、補正値設定機能、補正機能および通信機能を備えている。
【００５５】
マイクロコンピュータ８３の駆動制御機能は、入力映像信号に対応する映像をパネル部７４の映像表示領域に表示するために電極ドライバ８６を制御する機能である。すなわち、マイクロコンピュータ８３は、電極ドライバ８６を制御するための制御信号を入力映像信号に基づいて生成し、これを電極ドライバ８６に出力する。
【００５６】
マイクロコンピュータ８３の補正値設定機能および補正機能は、各ＣＣＤ８１から出力され、数値化処理部８２によって数値化された光量測定結果（光量測定値）に基づいて入力映像信号またはテスト画像信号に含まれる輝度情報を補正する機能である。具体的に説明すると、補正値設定機能は、補正値設定処理において、入力映像信号に含まれる輝度情報を補正するための補正値を設定する機能である。補正機能は、補正値設定処理において設定された補正値を用いて、入力映像信号に含まれる輝度情報を補正する機能である。補正値設定機能および補正機能は、図８に示す補正値設定部５８および補正部５９の機能とほぼ同じである。ただ、マイクロコンピュータ８３の補正値設定機能においては、例えばパネル部７４の映像表示領域の縁部近傍、角部近傍および中央に関する補正値、すなわちＣＣＤ８１が配置されている位置に関する補正値だけが設定される。さらに、マイクロコンピュータ８３の補正値設定機能においては、プラズマディスプレイ装置７１Ａの各ＣＣＤ８１および数値化処理部８２によって生成された光量測定値に加え、他のプラズマディスプレイ装置から提供される光量測定値に基づいて補正値の設定が行われる。さらに、マイクロコンピュータ８３の補正値設定機能においては、例えば、光量測定値だけでなく、パネル部７４の通電時間または蛍光体の発光劣化特性などに基づいて補正値の設定が行われる。
【００５７】
マイクロコンピュータ８３の通信機能は、数値化処理部８２により生成された光量測定値を他のプラズマディスプレイ装置に出力すると共に、他のプラズマディスプレイ装置から出力された光量測定値を受け取る機能である。この通信機能により、マルチディスプレイシステム７０に設けられたプラズマディスプレイ装置７１Ａないし７１Ｊおよび全体制御部７２は、バス７３を介して相互に通信を行うことができる。具体的には、プラズマディスプレイ装置７１Ａないし７１Ｊおよび全体制御部７２は、バス７３を介して光量測定値その他の情報の送受信を行うことができる。また、全体制御部７２は、バス７３を介して各プラズマディスプレイ装置７１Ａないし７１Ｊに入力映像信号またはテスト画像信号を供給することができる。
【００５８】
通電時間測定器８４は、パネル部７４の通電時間を測定し、この測定結果を示す通電時間値を提供する。通電時間測定器８４は例えばタイマなどにより実現することができる。
【００５９】
パラメータ記憶部８５は、補正値設定処理により設定された補正値、および通電時間測定器８４により測定された通電時間値、蛍光体の発光劣化特性、広域表示領域におけるプラズマディスプレイ装置の配置を示す情報（例えばプラズマディスプレイ装置７１Ａが広域表示領域の上部左側に配置されていることを示す情報）などを記憶する。パラメータ記憶部８５は、例えば半導体メモリなどの記憶素子またはハードディスクなどの記憶媒体により実現することができる。
【００６０】
電極ドライバ８６は、マイクロコンピュータ８３から出力された制御信号に基づいて、各放電セル構造の放電および発光を制御するための駆動パルス信号を生成する。生成された駆動パルス信号は、各放電セル構造の各電極に供給される。電極ドライバ８６は、例えば発信器、信号処理回路、記憶素子、その他の電子回路および電気回路により実現することができる。
【００６１】
プラズマディスプレイ装置７１Ｂないし７１Ｊも、プラズマディスプレイ装置７１Ａと同様の構成を備えている。
【００６２】
他方、図１０に示す全体制御部７２は、プラズマディスプレイ装置７１Ａないし７１Ｊの統括的制御および統括的管理を行う。具体的には、全体制御部７２は、各プラズマディスプレイ装置７１Ａないし７１Ｊに入力映像信号またはテスト画像信号を供給する。また、隣接する２個のプラズマディスプレイ装置相互間での光量測定値その他情報の送受信を制御する。さらに、輝度に関する補正値設定処理および補正処理を統括的に制御する。さらに、１個の映像を広域表示領域に表示するための映像分割処理および映像同期処理を行う。全体制御部７２は、例えば演算処理回路および記憶装置などにより実現することができる。なお、各プラズマディスプレイ装置７１Ａないし７１Ｊのマイクロコンピュータ８３および全体制御部７２は、発光制御手段、輝度補正手段、出力手段および受取手段の具体例である。
【００６３】
図１２はマルチディスプレイシステム７０における補正値設定処理を示している。この補正値設定処理は、入力映像信号に含まれる輝度情報を補正するための補正値を設定する処理である。この補正値設定処理により設定された補正値を用いて、プラズマディスプレイ装置７１Ａないし７１Ｊ相互間における輝度の均一化または連続化を自動的に図ることができる。
【００６４】
図１２に示すように、例えばマルチディスプレイシステム７０の電源が入ると、全体制御部７２は、各プラズマディスプレイ装置７１Ａないし７１Ｊの最大輝度の値を調べる（ステップＳ１１）。例えば、全体制御部７２は、各プラズマディスプレイ装置７１Ａないし７１Ｊに最大輝度測定用のテスト画像信号を供給し、各プラズマディスプレイ装置７１Ａないし７１Ｊの映像表示領域にこのテスト画像を表示させる。このテスト画像は、例えば、プラズマディスプレイ装置の映像表示領域全体を最大輝度で表示させるための全面ホワイトの画像である。これにより、各プラズマディスプレイ装置７１Ａないし７１Ｊのすべて放電セル構造は最大輝度で発光する。そして、各プラズマディスプレイ装置７１Ａないし７１Ｊは、ＣＣＤにより最大輝度発光時の光量を測定し、この光量測定結果に対応する光量測定値を全体制御部７２に出力する。
【００６５】
続いて、全体制御部７２は、各プラズマディスプレイ装置７１Ａないし７１Ｊから出力された光量測定値を相互に比較し、これらの中からもっとも低い値を見つけ出す。そして、全体制御部７２は、この値を、補正値設定処理における輝度補正可能範囲の上限値（すなわち補正後の輝度の上限値）に設定する（ステップＳ１２）。
【００６６】
続いて、全体制御部７２の制御のもと、プラズマディスプレイ装置７１Ｂ、７１Ｄ、７１Ｅ、７１Ｆおよび７１Ｈのマイクロコンピュータは、広域表示領域の中央に位置するプラズマディスプレイ装置７１Ｅの映像表示領域の上側縁部、下側縁部、左側縁部および右側縁部と、これらに隣接する他のプラズマディスプレイ装置７１Ｂ、７１Ｄ、７１Ｆおよび７１Ｈの映像表示領域の縁部との間で、輝度の均一化または連続化を図るための補正値を設定する（ステップＳ１３）。すなわち、プラズマディスプレイ装置７１Ｅおよび７１Ｂのマイクロコンピュータは、プラズマディスプレイ装置７１Ｅの映像表示領域の上側縁部とプラズマディスプレイ装置７１Ｂの映像表示領域の下側縁部との間の輝度が均一または連続的となるように、プラズマディスプレイ装置７１Ｅの映像表示領域の上側縁部に表示される映像に対応する入力映像信号の輝度情報を補正するための補正値と、プラズマディスプレイ装置７１Bの映像表示領域の下側縁部に表示される映像に対応する入力映像信号の輝度情報を補正するための補正値とを設定する。同様に、プラズマディスプレイ装置７１Ｅおよび７１Ｈのマイクロコンピュータは、プラズマディスプレイ装置７１Ｅの映像表示領域の下側縁部およびプラズマディスプレイ装置７１Ｈの映像表示領域の上側縁部について補正値を設定する。同様に、プラズマディスプレイ装置７１Ｅおよび７１Ｄのマイクロコンピュータは、プラズマディスプレイ装置７１Ｅの映像表示領域の左側縁部およびプラズマディスプレイ装置７１Ｄの映像表示領域の右側縁部について補正値を設定する。同様に、プラズマディスプレイ装置７１Ｅおよび７１Ｆのマイクロコンピュータは、プラズマディスプレイ装置７１Eの映像表示領域の右側縁部およびプラズマディスプレイ装置７１Ｆの映像表示領域の左側縁部についても補正値を設定する。
【００６７】
このとき、広域表示領域の中央に位置するプラズマディスプレイ装置７１Ｅの映像表示領域の上側縁部、下側縁部、左側縁部および右側縁部における輝度を固定し、これらに、プラズマディスプレイ装置７１Ｂの映像表示領域の下側縁部、プラズマディスプレイ装置７１Ｈの映像表示領域の上側縁部、プラズマディスプレイ装置７１Ｄの映像表示領域の左側縁部およびプラズマディスプレイ装置７１Ｆの映像表示領域の右側縁部における輝度を合わせるように各補正値を設定することが望ましい。具体的に説明すると、例えば、プラズマディスプレイ装置７１Ｅの映像表示領域の上側縁部とプラズマディスプレイ装置７１Ｂの映像表示領域の下側縁部とについて補正値を設定するときには、以下のように行う。
まず、全体制御部７２は、プラズマディスプレイ装置７１Ｅの映像表示領域およびプラズマディスプレイ装置７１Ｂの映像表示領域にテスト画像を表示する。続いて、プラズマディスプレイ装置７１Ｅにおいて、映像表示領域の上側縁部に対応する位置に配置されたＣＣＤが、当該映像表示領域の上側縁部に対応する位置に配置された放電セル構造から発せられた光の量を測定し、この結果を数値化処理部に出力する。そして、数値化処理部は、光量測定結果を数値化し、光量測定値ｍ１を生成する。これと同時に、プラズマディスプレイ装置７１Ｂにおいては、映像表示領域の下側縁部に対応する位置に配置されたＣＣＤが、当該映像表示領域の下側縁部に対応する位置に配置された放電セル構造から発せられた光の量を測定し、この結果を数値化処理部に出力する。そして、数値化処理部は、光量測定結果を数値化し、光量測定値ｍ２を生成する。続いて、プラズマディスプレイ装置７１Ｅのマイクロコンピュータ８３は、プラズマディスプレイ装置７１Ｂのマイクロコンピュータ８３に光量測定値ｍ１を送信する。そして、プラズマディスプレイ装置７１Ｂのマイクロコンピュータは光量測定値ｍ１を受信する。次に、プラズマディスプレイ装置７１Ｂのマイクロコンピュータは、光量測定値ｍ１と光量測定値ｍ２との差ｄ１を算出し、ｍ１がｍ２よりも大きいときには、ｍ２をｄ１だけ増加させるような補正値を設定する。一方、ｍ１がｍ２よりも小さいときには、ｍ２をｄ１だけ減少させるような補正値を設定する。なお、実際にはこのような光量差だけでなく、パネル部７４の通電時間または蛍光体の発光劣化特性などを考慮して、補正値の設定を行うことが望ましい。
【００６８】
続いて、全体制御部７２の制御のもと、プラズマディスプレイ装置７１Ａ、７１Ｂ、７１Ｃ、７１Ｄ、７１Ｆ、７１Ｇ、７１Ｈおよび７１Ｊのマイクロコンピュータは、広域表示領域の周縁部に位置するプラズマディスプレイ装置７１Ａ、７１Ｂ、７１Ｃ、７１Ｄ、７１Ｆ、７１Ｇ、７１Ｈおよび７１Ｊについて、相互に隣接するプラズマディスプレイ装置の映像表示領域の縁部における輝度の均一化または連続化を図るための補正値を設定する（ステップＳ１４）。すなわち、プラズマディスプレイ装置７１Ａおよび７１Ｂのマイクロコンピュータは、プラズマディスプレイ装置７１Ｂの映像表示領域の左側縁部とプラズマディスプレイ装置７１Ａの映像表示領域の右側縁部との間の輝度が均一または連続的となるように、プラズマディスプレイ装置７１Ｂの映像表示領域の左側縁部に表示される映像に対応する入力映像信号の輝度情報を補正するための補正値と、プラズマディスプレイ装置７１Ａの映像表示領域の右側縁部に表示される映像に対応する入力映像信号の輝度情報を補正するための補正値とを設定する。同様に、プラズマディスプレイ装置７１Ｂおよび７１Ｃのマイクロコンピュータは、プラズマディスプレイ装置７１Ｂの映像表示領域の右側縁部およびプラズマディスプレイ装置７１Ｃの映像表示領域の左側縁部についても補正値を設定する。同様に、プラズマディスプレイ装置７１Ｈおよび７１Ｇのマイクロコンピュータは、プラズマディスプレイ装置７１Ｈの映像表示領域の左側縁部およびプラズマディスプレイ装置７１Ｇの映像表示領域の右側縁部について補正値を設定する。同様に、プラズマディスプレイ装置７１Ｈおよび７１Ｊのマイクロコンピュータは、プラズマディスプレイ装置７１Ｈの映像表示領域の右側縁部およびプラズマディスプレイ装置７１Ｊの映像表示領域の左側縁部について補正値を設定する。同様に、プラズマディスプレイ装置７１Ａおよび７１Ｄのマイクロコンピュータは、プラズマディスプレイ装置７１Ｄの映像表示領域の上側縁部およびプラズマディスプレイ装置７１Ａの映像表示領域の下側縁部について補正値を設定する。同様に、プラズマディスプレイ装置７１Ｄおよび７１Ｇのマイクロコンピュータは、プラズマディスプレイ装置７１Ｄの映像表示領域の下側縁部およびプラズマディスプレイ装置７１Ｇの映像表示領域の上側縁部についても補正値を設定する。同様に、プラズマディスプレイ装置７１Ｃおよび７１Ｆのマイクロコンピュータは、プラズマディスプレイ装置７１Ｆの映像表示領域の上側縁部およびプラズマディスプレイ装置７１Ｃの映像表示領域の下側縁部について補正値を設定する。同様に、プラズマディスプレイ装置７１Ｆおよび７１Ｊのマイクロコンピュータは、プラズマディスプレイ装置７１Ｆの映像表示領域の下側縁部およびプラズマディスプレイ装置７１Ｊの映像表示領域の上側縁部について補正値を設定する。
【００６９】
このとき、広域表示領域の中央に比較的近いプラズマディスプレイ装置７１Ｂ、７１Ｈ、７１Ｄおよび７１Ｆの縁部における輝度を固定し、これに広域表示領域の中央に比較的遠いプラズマディスプレイ装置７１Ａ、７１Ｃ、７１Ｇおよび７１Ｊの縁部における輝度を合わせるように各補正値を設定することが望ましい。具体的に説明すると、例えば、プラズマディスプレイ装置７１Ｂの映像表示領域の左側縁部とプラズマディスプレイ装置７１Ａの映像表示領域の右側縁部とについて補正値を設定するときには、以下のように行う。まず、全体制御部７２は、プラズマディスプレイ装置７１Ｂの映像表示領域およびプラズマディスプレイ装置７１Ａの映像表示領域にテスト画像を表示する。続いて、プラズマディスプレイ装置７１Ｂにおいて、映像表示領域の左側縁部に対応する位置に配置されたＣＣＤが、当該映像表示領域の左側縁部に対応する位置に配置された放電セル構造から発せられた光の量を測定し、この結果を数値化処理部に出力する。そして、数値化処理部は、光量測定結果を数値化し、光量測定値ｍ３を生成する。これと同時に、プラズマディスプレイ装置７１Ａにおいては、映像表示領域の右側縁部に対応する位置に配置されたＣＣＤが、当該映像表示領域の右側縁部に対応する位置に配置された放電セル構造から発せられた光の量を測定し、この結果を数値化処理部に出力する。そして、数値化処理部は、光量測定結果を数値化し、光量測定値ｍ４を生成する。続いて、プラズマディスプレイ装置７１Ｂのマイクロコンピュータ８３は、プラズマディスプレイ装置７１Ａのマイクロコンピュータ８３に光量測定値ｍ３を送信する。そして、プラズマディスプレイ装置７１Ａのマイクロコンピュータ８３は光量測定値ｍ３を受信する。次に、プラズマディスプレイ装置７１Ａのマイクロコンピュータ８３は、光量測定値ｍ３と光量測定値ｍ４との差ｄ２を算出し、ｍ３がｍ４よりも大きいときには、ｍ４をｄ２だけ増加させるような補正値を設定する。一方、ｍ３がｍ４よりも小さいときには、ｍ４をｄ２だけ減少させるような補正値を設定する。なお、実際にはこのような光量差だけでなく、パネル部７４の通電時間または蛍光体の発光劣化特性などを考慮して、補正値の設定を行うことが望ましい。
【００７０】
続いて、全体制御部７２は、各プラズマディスプレイ装置７１Ａないし７１Ｊにおいて、各縁部と中央との間の輝度の均一化または連続化を図るための補正値を設定する（ステップＳ１５）。例えば、広域表示領域の中央に位置するプラズマディスプレイ装置７１Ｅにおいて、その上側縁部、下側縁部、左側縁部および右側縁部の輝度に中央の輝度が等しくなるように、またはこれら縁部と中央との間における輝度の変化が連続的となるように、プラズマディスプレイ装置７１Ｅの映像表示領域の中央近傍（すなわち周縁部以外の箇所）に表示される映像に対応する入力映像信号の輝度情報を補正するための補正値を設定する。
【００７１】
以上の処理で設定された補正値は、パラメータ記憶部８５に記憶される（ステップＳ１６）。以上より補正値設定処理は終了する。
【００７２】
図１３は、図１２に示す補正値設定処理における補正値設定の順序を示している。図１３に示すように、補正値設定処理における補正値設定は、広域表示領域の中央から周縁に向けて行うことが好ましい。すなわち、まず、中央に位置するプラズマディスプレイ装置７１Ｅの縁部の輝度を固定し、これに、プラズマディスプレイ装置７１Ｂ、７１Ｈ、７１Ｄおよび７１Ｆの縁部の輝度を合わせる。次に、プラズマディスプレイ装置７１Ｂ、７１Ｈ、７１Ｄおよび７１Ｆの縁部の輝度を固定し、これに、プラズマディスプレイ装置７１Ａ、７１Ｃ、７１Ｇおよび７１Ｊの縁部の輝度を合わせることが望ましい。
【００７３】
補正値設定処理の終了後、マルチディスプレイシステム７０によって映像を表示するときには、全体制御部７２の制御のもと、各プラズマディスプレイ装置７１Ａないし７１Ｊのマイクロコンピュータ８３が、パラメータ記憶部８５に記憶された補正値を用いて、入力映像信号に含まれる輝度情報を補正する。これにより、マルチディスプレイシステム７０の広域表示領域を構成する各プラズマディスプレイ装置７１Ａないし７１Ｊの映像表示領域に表示される画像の輝度の均一化または連続化を図ることができる。特に、隣接する２個のプラズマディスプレイ装置相互間の境界線近傍において輝度の均一化または連続化を図ることができる。
【００７４】
以上説明したとおり、マルチディスプレイシステム７０は、各プラズマディスプレイ装置７１Ａないし７１Ｊに設けられた各ＣＣＤ１４から出力された光量測定結果を数値化することにより光量測定値を生成し、各プラズマディスプレイ装置７１Ａないし７１Ｊ相互間で光量測定値を送受信させることにより、各プラズマディスプレイ装置７１Ａないし７１Ｊ相互間の輝度の均一化または連続化を図る。これにより、各プラズマディスプレイ装置７１Ａないし７１Ｊ相互間の輝度の均一化または連続化を容易に、高精度にかつ短時間で図ることができる。さらに、各プラズマディスプレイ装置７１Ａないし７１Ｊ相互間の輝度の均一化または連続化を図るための補正処理を自動化することができ、マルチディスプレイシステムにおける輝度の補正作業を短縮化することができ、さらには、補正処理の完全自動化により補正作業を省くこともできる。
【００７５】
なお、本発明は、請求の範囲および明細書全体から読み取るこのできる発明の要旨または思想に反しない範囲で適宜変更可能であり、そのような変更を伴うディスプレイ装置およびマルチディスプレイシステムもまた本発明の技術思想に含まれる。
【図面の簡単な説明】
【００７６】
【図１】本発明のディスプレイ装置の第１実施形態を示す断面図である。
【図２】本発明のディスプレイ装置の第１実施形態において、パネル面と平行な方向における放電セル構造とＣＣＤとの間の配置関係を示す説明図である。
【図３】パネル面と平行な方向における放電セル構造とＣＣＤとの間の配置関係の別の例を示す説明図である。
【図４】パネル面と平行な方向における放電セル構造とＣＣＤとの間の配置関係のさらに別の例を示す説明図である。
【図５】映像表示領域内におけるＣＣＤの配置例を示す説明図である。
【図６】図１に示すディスプレイ装置の動作を示す断面図である。
【図７】本発明のディスプレイ装置の第２実施形態を示す断面図である。
【図８】図１に示すディスプレイ装置の駆動制御ユニットを示すブロック図である。
【図９】図１に示すディスプレイ装置の補正値設定処理を示すフローチャートである。
【図１０】本発明のマルチディスプレイシステムの実施形態を示す説明図である。
【図１１】図１０に示すマルチディスプレイシステムを構成するプラズマディスプレイ装置を示すブロック図である。
【図１２】図１０に示すマルチディスプレイシステムにおける補正値設定処理を示すフローチャートである。
【図１３】図１２に示す補正値設定処理における補正値設定順序の一例を示す説明図である。
【符号の説明】
【００７７】
１、７１Ａ〜７１Ｊ  プラズマディスプレイ装置（ディスプレイ装置）
１１  前面板
１２  背面板
１３  放電セル構造（自発発光構造）
１４、４１、４２  ＣＣＤ（光量測定手段）
１５、４５  光拡散器（拡散手段）
５１、７５  駆動制御ユニット
５３、８２  数値化処理部（測定結果数値化手段）
５４  駆動制御部（発光制御手段）
５５、８５  パラメータ記憶部（輝度補正手段）
５８  補正値設定部（輝度補正手段）
５９  補正部（輝度補正手段）
５７、８６  電極ドライバ（発光制御手段）
７２  全体制御部（発光制御手段、輝度補正手段、出力手段、受取手段）
８３  マイクロコンピュータ（発光制御手段、輝度補正手段、出力手段、受取手段）
７０  マルチディスプレイシステム
【図１】
2006251516.tif 000003
【図２】
2006251516.tif 000004
【図３】
2006251516.tif 000005
【図４】
2006251516.tif 000006
【図５】
2006251516.tif 000007
【図６】
2006251516.tif 000008
【図７】
2006251516.tif 000009
【図８】
2006251516.tif 000010
【図９】
2006251516.tif 000011
【図１０】
2006251516.tif 000012
【図１１】
2006251516.tif 000013
【図１２】
2006251516.tif 000014
【図１３】
2006251516.tif 000015